(57)【要約】【課題】空気調和装置の本体ケースに対して断熱材を容易に取り付けることができ、しかも、断熱材の構造の簡素化を図るとともに断熱性の低下を抑制することができる断熱材の取付構造を提供する。【解決手段】熱交換器１３を収容する本体ケース３１の壁部３５と、この壁部３５の内面に固定されるアクチュエータ６２用の取付部材６６との間に断熱材５４を挟み込むことによって、当該断熱材５４を前記壁部３５の内面に取り付けることを特徴とする。前記壁部３５の内面に凸部７２が形成され、前記断熱材５４に前記凸部７２に嵌合する凹部７５が形成され、前記凸部７２の先端に前記取付部材６６が固定されていてもよい。【選択図】      図８
2013200106.tif 000002
【特許請求の範囲】
【請求項１】
熱交換器（１３）を収容する本体ケース（３１）の壁部（３５）と、この壁部（３５）の内面に固定される、アクチュエータ（６２）用の取付部材（６６）との間に断熱材（５４）を挟み込むことによって、当該断熱材（５４）を前記壁部（３５）の内面に取り付けることを特徴とする空気調和装置における断熱材の取付構造。
【請求項２】
前記壁部（３５）の内面に凸部（７２）が形成され、前記断熱材（５４）に前記凸部（７２）に嵌合する凹部（７５）が形成され、前記凸部（７２）の先端に前記取付部材（６６）が固定される、請求項１に記載の空気調和装置における断熱材の取付構造。
【請求項３】
前記凸部（７２）と前記凹部（７５）とがそれぞれ複数個ずつ形成されている、請求項２に記載の空気調和装置における断熱材の取付構造。
【請求項４】
前記アクチュエータ（６２）が、前記熱交換器（１３）から滴下した結露水を吸引するドレンポンプである、請求項１〜３のいずれか１項に記載の空気調和装置における断熱材の取付構造。
【発明の詳細な説明】
【技術分野】
【０００１】
本発明は、空気調和装置における断熱材の取付構造に関する。
【背景技術】
【０００２】
下記特許文献１には、天井内に収容される天井埋込式の室内機を備えた空気調和装置が開示されている。この室内機は、箱型の本体ケースの下面に化粧パネルを備え、この化粧パネルに空気の吸込口と吹出口とが設けられている。本体ケースの内部は、仕切り板によって機械室（送風機室）と熱交換室とに区画され、機械室には送風機ユニットが配置され、熱交換室には熱交換器、ドレンパン、ドレンポンプ等が配置されている。そして、送風機ユニットによって吸込口から吸い込まれた空気は、熱交換器との間で熱交換された後に吹出口から吹き出され、室内の温度や湿度を調整する。
【先行技術文献】
【特許文献】
【０００３】
【特許文献１】特開２００６−９７９９５号
【発明の概要】
【発明が解決しようとする課題】
【０００４】
一般に、本体ケース内の熱交換室に配置されるドレンポンプ等の部品は、本体ケースの内面にブラケット等を介して取り付けられる。一方、熱交換室における本体ケースの内面には、外部へ熱が逃げないように断熱材が設けられるが、本体ケースの内面には前記ブラケット等が取り付けられるため、従来、これを避けるためにブラケット等の形状に合わせた開口部が断熱材に形成されていた。そのため、断熱材の構造が複雑になるとともに、前記開口部によって本体ケースの内面の一部が断熱材によって覆われず、その分断熱性が低下するという欠点があった。
また、従来は、本体ケースの内面に断熱材を取り付ける際に、両面テープ等を用いて断熱材の位置決めを行っていたため、取付作業が非常に面倒となっていた。
【０００５】
本発明は、以上のような実情に鑑みてなされたものであり、本体ケースに対して断熱材を容易に取り付けることができ、しかも、断熱材の構造の簡素化を図るとともに断熱性の低下を抑制することができる断熱材の取付構造を提供することを目的とする。
【課題を解決するための手段】
【０００６】
本発明に係る断熱材の取付構造は、熱交換器を収容する本体ケースの壁部と、この壁部の内面に固定される、アクチュエータ用の取付部材との間に断熱材を挟み込むことによって、当該断熱材を前記壁部の内面に取り付けることを特徴とする。
【０００７】
この構成によれば、アクチュエータ用の取付部材を利用することによって本体ケースの壁部の内面に対して断熱材を容易に取り付けることができる。また、取付部材を避けるための開口部等を断熱材に形成する必要がなくなるので、断熱材の構造を簡素化することができるとともに、断熱性の低下を抑制することができる。
なお、アクチュエータは、電力によって作動するモータやソレノイド等を備えたものや、流体（空気、油）の圧力を利用して作動するシリンダ等を備えたものとすることができる。
【０００８】
上記の構成において、前記壁部の内面に凸部が形成され、前記断熱材に前記凸部に嵌合する凹部が形成され、前記凸部の先端に前記取付部材が固定されることが好ましい。
この構成によれば、壁部に設けられた凸部に、断熱材に設けられた凹部を嵌合させることによって、壁部に対する断熱材の位置決めを容易に行うことができる。
【０００９】
また、前記凸部と前記凹部とがそれぞれ複数個ずつ形成されていてもよい。
この構成によれば、複数の凸部に対してそれぞれ凹部を嵌合させることによって断熱材の位置決めをより確実に行うことができる。
【００１０】
前記アクチュエータは、前記熱交換器から滴下した結露水を吸引するドレンポンプであってもよい。
【発明の効果】
【００１１】
本発明によれば、本体ケースに対して断熱材を容易に取り付けることができ、しかも、断熱材の構造の簡素化を図るとともに断熱性の低下を抑制することができる。
【図面の簡単な説明】
【００１２】
【図１】本発明の断熱材の取付構造を適用することができる空気調和装置の構成図である。
【図２】本発明の第１の実施の形態における空気調和装置の室内機を示す側面断面図（図３のＡ−Ａ矢視断面図）である。
【図３】室内機の平面説明図である。
【図４】室内機の正面図である。
【図５】室内機の底面図である。
【図６】室内機の側面断面図（図３のＢ−Ｂ矢視断面図）である。
【図７】断熱材の取付構造を示す分解斜視図である。
【図８】断熱材の取付構造を示す側面断面図である。
【図９】図８のＣ−Ｃ矢視断面図である。
【図１０】本発明の第２の実施の形態に係る断熱材の取付構造を示す側面断面図である。
【発明を実施するための形態】
【００１３】
以下、図面を参照して本発明の実施の形態を説明する。
図１は、本発明の断熱材の取付構造を適用することができる空気調和装置の構成図である。この空気調和装置１０は、室内機（利用側ユニット）１１と室外機（熱源側ユニット）１２とを備えている。
室外機１２には、圧縮機１４、四路切換弁１８、室外熱交換器１５、室外膨張弁１６等が設けられ、これらは冷媒配管２５によって接続されている。また、室外機１２には、室外送風ファン２０が設けられている。
【００１４】
室外機１２の内部冷媒回路の端末部には、ガス側閉鎖弁２２と液側閉鎖弁２３とが設けられている。ガス側閉鎖弁２２は四路切換弁１８側に配置されており、液側閉鎖弁２３は室外膨張弁１６側に配置されている。
室内機１１には、室内膨張弁２８及び室内熱交換器１３等が設けられている。ガス側閉鎖弁２２と室内熱交換器１３とはガス側冷媒連絡配管２４により接続され、液側閉鎖弁２３と室内膨張弁２８とは液側冷媒連絡配管２６により接続されている。
【００１５】
上記構成の空気調和装置１０において、冷房運転を行う場合には、四路切換弁１８が図１において実線で示す状態に保持される。そして、実線矢印で示すように、圧縮機１４から吐出された高温高圧のガス状冷媒は、四路切換弁１８を経て室外熱交換器１５に流入し、室外送風ファン２０の作動により室外空気と熱交換して凝縮・液化する。液化した冷媒は、ほぼ全開状態の室外膨張弁１６を通過し、液側冷媒連絡配管２６を通って室内機１１に流入する。室内機１１において、冷媒は、室内膨張弁２８で所定の低圧に減圧され、さらに室内熱交換器１３で室内空気と熱交換して蒸発する。そして、冷媒の蒸発によって冷却された室内空気は室内送風ファン１９によって室内に吹き出され、当該室内を冷房する。また、室内熱交換器１３で蒸発して気化した冷媒は、ガス側冷媒連絡配管２４を通って室外機１２に戻り、四路切換弁１８を経て圧縮機１４に吸い込まれる。
【００１６】
他方、暖房運転を行う場合には、四路切換弁１８が図１において破線で示す状態に保持される。そして、点線矢印で示すように、圧縮機１４から吐出された高温高圧のガス状冷媒は、四路切換弁１８を経て室内機１１の室内熱交換器１３に流入し、室内空気と熱交換して凝縮・液化する。冷媒の凝縮によって加熱された室内空気は、室内送風ファン１９によって室内に吹き出され、当該室内を暖房する。室内熱交換器１３において液化した冷媒は、ほぼ全開状態の室内膨張弁２８から液側冷媒連絡配管２６を通って室外機１２に戻る。室外機１２に戻った冷媒は、室外膨張弁１６で所定の低圧に減圧され、室外熱交換器１５において室外空気と熱交換して蒸発する。そして、室外熱交換器１５で蒸発して気化した冷媒は、四路切換弁１８を経て圧縮機１４に吸い込まれる。
【００１７】
図２は、空気調和装置１０の室内機１１を示す側面断面図（図３のＡ−Ａ矢視断面図）、図３は、室内機１１の平面説明図、図４は、室内機１１の正面図、図５は、室内機１１の底面図である。
室内機１１は、室内の天井裏等に設置される天井埋込型の室内機であり、本体ケース３１、化粧パネル３２、室内送風ファン１９、室内熱交換器１３、ドレンパン３３等を備えている。
【００１８】
本体ケース３１は、平面視で四角形状の上壁部３５と、この上壁部３５の４辺から下方に垂下された４枚の周壁部（前壁部３６、後壁部３７、左壁部３８、右壁部３９）とから下方に開放した箱形状に形成されている。そして、本体ケース３１における下端の開口部に化粧パネル３２が取り付けられている。本体ケース３１は、図４に示されるように、天井３０の上方にある上階床の下面等に吊りボルト４０を介して吊り下げられ、化粧パネル３２は、天井３０の下面に沿って配置されている。
【００１９】
図２及び図３に示されるように、本体ケース３１の内部は、仕切り板４２によって送風機室４３と熱交換室４４とに区画されている。本明細書においては、送風機室４３側を後側、熱交換室側を前側とする。
化粧パネル３２は、送風機室４３の下方に吸込口４５を備え、熱交換室４４の前部側の下方に吹出口４６を備えている。吸込口４５には格子状のグリル４７が取り付けられ、吹出口４６には、空気の吹出方向を調整する導風板４８が揺動可能に設けられている。
【００２０】
送風機室４３には、２台の室内送風ファン１９が左右方向に間隔をあけて配置されている。２台の室内送風ファン１９の間には電動モータ５０が配置され、この電動モータ５０によって両室内送風ファン１９が駆動される。本実施の形態の室内送風ファン１９は、略円筒形状のケーシング１９ａと、このケーシング１９ａ内に設けられた羽根車１９ｂとからなるシロッコファンである。ケーシング１９ａの側面には吸込口１９ａ１が形成され、ケーシング１９ａの前部には吐出口１９ａ２が前方に向けて突出されている。吐出口１９ａ２は、仕切り板４２に形成された開口にシールされた状態で挿入されている。
【００２１】
室内送風ファン１９が作動すると、室内の空気は吸込口４５から送風機室４３内に取り入れられ、ケーシング１９ａの吸込口１９ａ１に吸い込まれた後、吐出口１９ａ２から熱交換室４４に吹き出される。したがって、送風機室４３内の空間は、室内送風ファン１９によって空気が吸い込まれる吸込空間とされ、熱交換室４４の空間は、室内送風ファン１９によって空気が吹き出される吹出空間とされる。
【００２２】
熱交換室４４には、室内熱交換器１３が配置されている。室内熱交換器１３は、例えば、左右方向に所定間隔で並べて配置された多数のフィンと、このフィンを貫通するように設けられた伝熱管とを含むクロスフィン型のフィンアンドチューブ式熱交換器とされる。この室内熱交換器１３は、上部が前側（吹出口４６側；空気流の下流側）に位置し、かつ下部が後側（室内送風ファン１９側；空気流の上流側）に位置するように傾斜して配置されている。そして、室内送風ファン１９から熱交換室４４に吹き出された空気は、室内熱交換器１３との間で熱交換され、その後に吹出口４６から室内に吹き出される。なお、室内熱交換器１３の下方には、ドレンパン３３が設けられ、室内熱交換器１３で発生した結露水がドレンパン３３によって受け止められるようになっている。
【００２３】
ドレンパン３３は、発泡スチロール等の断熱性の高い材料によって形成されており、断熱材としても機能している。また、熱交換室４４における本体ケース３１の上壁部３５、前壁部３６、左右壁部３８，３９の内面には、それぞれ発泡スチロール等からなる断熱材５４〜５７が設けられている。
【００２４】
図６は、室内機の側面断面図（図３のＢ−Ｂ矢視断面図）である。図３及び図６に示されるように、送風機室４３の右端部には電装品ユニット５８が配置されている。この電装品ユニット５８は、電装品箱５９と、この電装品箱５９に収容された制御基板６０や端子台６１等からなる。また、熱交換室４４の右端部には、室内熱交換器１３に接続される分流器やヘッダ等の配管群６２や、ドレンポンプ６３、室内膨張弁２８、サーミスタ等の電気部品が配置されている。そして、これらの電気部品の電気配線６４は、熱交換室４４から仕切り板４２を通して電装品ユニット５８に接続されている。
【００２５】
図６に示されるように、ドレンポンプ６３は、内蔵されたモータ（アクチュエータ）が作動することによって、ドレンパン３３に貯留された結露水を外部へ排出するものである。ドレンポンプ６３は、取付台（取付部材）６６を介して本体ケース３１の上壁部３５に取付固定されている。また、取付台６６には、フロートセンサ６５も取り付けられている。ドレンポンプ６３及びフロートセンサ６５は、連結枠６７によって１ユニットとして組み立てられている。連結枠６７には、室内膨張弁２８の電気配線６４や、サーミスタの電気配線等をガイドするガイド爪６８が一体に形成されている。このガイド爪６８によって、電気配線６４がドレンパン３３側へ垂れ下がらないように支持されている。
【００２６】
取付台６６は、前後の脚板６９と、両脚板６９の下端部同士を接続する台板７０とから側面視でコの字形状に形成されている。脚板６９の上端部には、略直角に屈曲された固定片７１が設けられ、この固定片７１が上壁部３５に固定されている。
図７は、断熱材の取付構造を示す分解斜視図、図８は、断熱材の取付構造を示す側面断面図、図９は、図８のＣ−Ｃ矢視断面図である。本体ケース３１の上壁部３５には、下方へ突出する円すい台形状の凸部７２が前後方向に並べて形成されている。この凸部７２は、上壁部３５を内面側へ屈曲させることによって形成されている。凸部７２の先端面には、雌ねじ孔７３が形成されている。また、凸部７２の高さは、上壁部３５の内面に取り付けられる断熱材５４の厚さと略一致するか当該厚さよりも僅かに小さい寸法に設定されている。
【００２７】
一方、上壁部３５の内面に取り付けられる断熱材５４には、凸部７２に嵌合される凹部７５が形成されている。この凹部７５は、凸部７２の形状に適合した円すい台形状であり、断熱材５４を上下方向に貫通している。そして、上壁部３５の凸部７２に対して断熱材５４の凹部７５を嵌合させることによって、断熱材５４が上壁部３５に対して位置決めされるようになっている。また、凸部７２及び凹部７５を円すい台形状に形成することによって、凸部７２に対して凹部７５を嵌合させる当初は、凹部７５の孔径が凸部７２の先端径よりも大きいため、容易に嵌合させることができ、凸部７２に対して凹部７５を完全に嵌合させることによって、両者の水平方向の位置ずれが矯正され、上壁部３５に対して断熱材５４が正確に位置決めされるようになっている。
【００２８】
取付台６６の固定片７１には、挿通孔７６が形成されている。そして，固定片７１を凸部７２の先端面に当接させた状態で、挿通孔７６に挿通した固定ねじ７７を雌ねじ孔７３に螺合することによって、上壁部３５に取付台６６を固定することができる。このとき、断熱材５４は、固定片７１と上壁部３５との間で挟さみ込まれることによって、上壁部３５の内面に取り付けられる。したがって、取付台６６は、断熱材５４を上壁部３５に対して取り付けるための取付部材としても機能している。
【００２９】
以上のような構成によって、断熱材５４を容易に位置決めして上壁部３５に取り付けることができる。断熱材５４には、取付台６６の脚板６９を避けるための大きな開口部等を形成しなくてもよいため、構造を簡素化することができるとともに、上壁部３５の大部分を断熱材５４によって覆うことができ、断熱性が低下することもほとんどない。また、上壁部３５及び断熱材５４には、それぞれ２個の凸部７２及び凹部７５が形成されているので、上壁部３５に対する断熱材５４の前後左右の位置や水平方向の角度を確実に位置決めすることができる。
【００３０】
また、取付台６６に取り付けられるドレンポンプ（アクチュエータ）６３は、内蔵されたモータが作動することによって振動や音が発生するが、取付台６６と上壁部３５との間には断熱材５４が介在しているので、当該断熱材５４が振動や音を緩和する緩衝材として機能し、上壁部３５に振動や音が伝達されるのを抑制することができる。また、凸部７２の高さを断熱材５４の厚さよりも若干低くすれば、取付台６６の固定片７１を凸部７２に取り付けたときに両者の間で断熱材５４を圧縮することができ、これによって取付台６６をより安定して取り付けることができるとともに、振動の発生を抑制することができる。
【００３１】
図１０は、本発明の第２の実施の形態に係る断熱材の取付構造を示す側面断面図である。本実施の形態では、第１の実施の形態のような凸部７２が形成されておらず、断熱材５４の凹部７５は、円すい台形状ではなく一定の内径を有する円筒形状の孔によって構成されている。また、本実施の形態では、凹部７５内に円筒形状のカラー７９が挿入されている。
【００３２】
本実施の形態では、取付台６６の固定片７１に形成された挿通孔７６と、カラー７９とに挿入されたねじ７７を上壁部３５の雌ねじ孔７３に螺合することによって、取付台６６が上壁部３５に固定されている。したがって、本実施の形態においても上壁部３５と固定片７１との間で断熱材５４を挟み込むことができ、これによって上壁部３５に対して断熱材５４を取り付けることができる。
【００３３】
なお、本実施の形態では、上壁部３５に対する断熱材５４の位置決めができず、カラー７９によって部品点数が増えるため、これらの点においては第１の実施の形態の方が有利である。
【００３４】
本発明は、上記実施の形態に限定されず、特許請求の範囲に記載された発明の範囲内において適宜変更することができる。
例えば、上壁部３５に設けられた凸部７２の数は、２個に限らず、１個又は３個以上とすることができ、断熱材５４に設けられる凹部７５の数は、凸部７２の数に応じて形成することができる。
【００３５】
また、本発明は、上壁部３５以外の壁部３６，３８，３９の内面に断熱材５５〜５７を取り付けるためにも適用することができる。さらに、本発明は、ドレンポンプ６３以外のアクチュエータ用の取付部材と壁部との間で断熱材を挟み込むものであってもよい。また、本発明は、天井埋込式の室内機１１だけでなく、天井吊り型、壁取付型等の室内機１１にも適用することができる。また、本発明は、室内機１１だけでなく室外機１２にも適用することができる。
【符号の説明】
【００３６】
１０      ：空気調和装置
１３      ：室内熱交換器
３１      ：本体ケース
３５      ：上壁部
５４      ：断熱材
６３      ：ドレンポンプ（アクチュエータ）
６６      ：取付台
７２      ：凸部
７５      ：凹部
【図１】
2013200106.tif 000003
【図２】
2013200106.tif 000004
【図３】
2013200106.tif 000005
【図４】
2013200106.tif 000006
【図５】
2013200106.tif 000007
【図６】
2013200106.tif 000008
【図７】
2013200106.tif 000009
【図８】
2013200106.tif 000010
【図９】
2013200106.tif 000011
【図１０】
2013200106.tif 000012